【事件の表示】
　特願２００９−１９８４５６「無線デバイス中の電力リソースを最適化するための方法およびシステム」拒絶査定不服審判事件〔平成２２年　１月２８日出願公開、特開２０１０−　２２０１５〕について、次のとおり審決する。
【結　論】
　本件審判の請求は、成り立たない。
【理　由】
第１　手続の経緯・本願発明
１　手続の経緯
　本件出願は、２００３年４月２９日（パリ条約による優先権主張外国庁受理２００２年５月１日、米国、２００２年１２月３０日、米国）を国際出願日とする出願である特願２００４−５０２５２０号の一部を平成１７年９月２７日に新たな特許出願とした特願２００５−２８０５２８号の一部を、更に平成２１年８月２８日に新たな特許出願としたものであって、平成２３年９月２８日付けで手続補正がなされ、平成２４年１月２６日付けで拒絶理由の通知がなされ、これに対し、平成２４年７月２日付けで手続補正がなされたが、平成２４年７月２３日付け（発送日同年７月２７日）で拒絶査定がなされた。
　本件は、上記拒絶査定を不服として平成２４年１１月２７日付けで請求された拒絶査定不服審判である。
 　 
２　本願発明
　本願の請求項１〜１１に係る発明は、平成２３年９月２８日付け手続補正及び平成２４年７月２日付け手続補正により補正された特許請求の範囲、明細書及び図面の記載からみて、その特許請求の範囲の請求項１〜１１に記載された事項によって特定されるものであるところ、その請求項８に係る発明（以下「本願発明」という。）は次のとおりのものと認められる。
 　 
「無線デバイスで使用するための方法であって、
　無線インターフェースを介して、メッセージリストを受信することであって、前記メッセージリストは、複数の宛先識別子および複数のメッセージポインタを含み、
　　　各メッセージポインタは、前記複数の宛先識別子からの宛先識別子と関連づけられ、
　　　各メッセージポインタは、それぞれの異なるメッセージについて、
　　　　　前記メッセージがいつ受信可能になるかを示すタイミング情報と、
　　　　　前記メッセージの搬送波チャネル情報と、
　　　　　前記メッセージの符号情報と
　　　を示している、前記メッセージリストを受信すること、および
　前記宛先識別子の一つが前記無線デバイスに対応するという決定に応答して、前記無線デバイスに対応する前記宛先識別子と関連づけられた前記メッセージポインタにより指し示されるメッセージを受信すること
　を含むことを特徴とする方法。」
　　
第２　引用文献の記載事項 
　原査定における拒絶の理由に引用された特開平５−１９９１５０号公報（以下「引用文献１」という。）には、図面と共に次に掲げる事項が記載されている。
　　
〈産業上の利用分野〉
「【０００１】
【産業上の利用分野】本発明は情報伝送システム、特に１次ステーションおよび多数の２次ステーションを具える多重ユーザラジオシステムに関するものである。
【０００２】また、本発明はかかるシステムととともに用いる１次ステーションおよび２次ステーション、および多重ユーザシステムに情報を伝送する方法に関するものである。」
　　
〈従来の技術〉
「【０００３】
【従来の技術】１次ステーションおよび多数の２次ステーションを具える情報伝送システム、例えば、ラジオシステムは１次ステーションと、システムが作動する全ての時間に対する全ての２次ステーションとの間で情報の搬送を必要としない場合がしばしばある。個別の２次ステーションは時間の僅かな部分に対し情報を送出または受信するのみである。」
　　
〈発明が解決しようとする課題〉
「【０００４】
【発明が解決しようとする課題】かかる状態では、２次ステーションが１次ステーションの伝送に払う注意の量を減少して例えば携帯用ラジオ受信機が電力消費を低減し、従って、バッテリの寿命を延ばすようにする必要があることは普通である。
【０００５】本発明の目的は新規な情報の伝送システムおよび方法を提供せんとするにある。」
　　
〈実施例〉
〈ラジオシステム〉
「【００１３】
【実施例】図１は１次ステーション１０および４つの２次ステーション１２，１４，１６，１８を具えるラジオシステムを示す。１次ステーション１０によって伝送されたラジオ信号は多数の経路２０を経て２次ステーションに伝搬される。２次ステーションから１次ステーションへの情報伝送の復路は一般に存在するが簡潔のため図面には示さない。１次ステーションによって、システム制御信号が情報またはトラフィック信号により変更されるような秩序を保って情報を伝送する。」
　　
〈チャネル構造〉
「【００１４】図２はチャネル構造の１例を示す。１つのマルチフレームＭＦは図の頂部に示すように１６個のフレームＦを具える。その下側には個別のフレームＦのレイアウトを示す。本例ではこの個別のフレームＦは２６４０ビットを具えるとともに、２４０ビットの最小制御チャネル（ＭＣＣＨ）スロットと各々が６００ビットの４つの情報チャネル（ＸＣＣＨ）の群とに分割する。ＭＣＣＨスロットＭは１２０ビットのオーバーヘッドＯＨと、１２０ビットの制御データＣＤとを具える。ＸＣＣＨスロットはそれぞれ音声チャネル、データチャネルまたは１つ以上の拡張制御チャネルとして用いることができる。各ＸＣＣＨスロットＸは１２０ビットのオーバーヘッドＯＨと、２４ビットのスロウに関連する制御チャネルスロットＳＡＣＨと、４５６ビットのトラフィックデータＴＤとを具える。ＸＣＣＨスロットのオーバーヘッドは８ビットガードスロットＧと、４０ビットのランプスロットＲと、７２ビット同期化スロットＳＹとを具える。ランプスロットＲは、２次ステーションによりラジオリンク（またはアップリンク）で１次ステーションに通信を行う際に送信機パワーを確立させるために用いる。この目的のために１次ステーションはランプスロットを必要としないため、現在受信中のみである１次ステーションおよびその２次ステーション間のラジオリンク（またはダウンリンク）はランプスロットにシステム情報を含むようにすることができる。図示の例では、ＭＣＣＨスロットに組込み得る場合よりも多くの制御信号が必要な場合にＸＣＣＨスロットは２つの拡張制御チャネルを具えることができる。
【００１５】図２に示すチャネル構造ではトラフィックタイム周期を４つの等しい長さのスロットに分割したが、多数の変更配置が可能であることは勿論である。特定のスロットを規定する必要はなく、スロット長さは１人以上のユーザに伝送すべき情報の量によって決めることができる。或は又、群当たり１つのオーバーヘッドとともに群別化し得る短いスロットを用いることもできる。かかる配置によってデータパケットの大きさに著しい可撓性を与え、しかも特定のデータの位置を識別することもできる。」
　　
〈制御データスロット〉
「【００１６】図３は制御データスロットＣＤの構造を示し、このデータスロットは図２のチャネル構造におけるＭＣＣＨスロットＭの半部を具える。制御データスロットは１２０ビットの長さであり、次のように細分割される。最初の８ビットＯＰは制御スロットに含まれるメッセージの機能を規定する演算符号である。本例では、この演算符号は制御スロットがシステムの２次ステーションの１つ以上のアドレスを含むことを識別する。或は又、この演算符号は（例えば登録要求に応答して）承認信号を識別し、２次ステーションに情報等を送出することができる。次の１８ビットは識別表示ＣＭＤ１を具え、これは、順次の情報がそのために決められたことを示す第１の２次ステーションのアドレスを含み、これら１８個のビームは“ウエイク−アップ”命令と称される。続く５４個のビットも各々が１８ビットより成る３つの他のウエイク−アップ命令ＣＭＤ２，ＣＭＤ３およびＣＭＤ４を具え、これら命令の各々は関連する２次ステーションを識別するアドレスを含む。
【００１７】制御データスロットの最後の４０ビットは既知のようにエラー検出および便利な補正を行うチャネル符号化部ＣＣを含んでいる。このチャネル符号化部は図示の端部に共に位置するよりも制御スロット全体を通じて分布させることができる。」
　　
〈識別表示ＣＭＤ１・・・ＣＭＤ４〉
「【００１８】識別表示ＣＭＤ１・・・ＣＭＤ４は多数の種々の方法で構成することができる。例えば、図３にＥ１で示すように識別表示ＣＭＤ３は次の情報を決める２次ステーションを識別する１６ビットアドレスを具え、これに２ビットスロット番号ＸＮが後続する。このスロット番号によって次の４つのＸＣＣＨスロット（図２）にいずれがアドレスにより識別された特定の２次ステーションに意図される情報を含んでいるかを識別する。特定の２次ステーションに対する情報は次のＭＣＣＨスロットを越える場合でも次のスロットに拡張することができる。特定の２次ステーションに対する情報はフレームＦ当たり１つのＸＣＣＨスロット中、例えば、多数の順次のフレームにおける同一のＸＣＣＨスロット中伝送することができる。かかる技術は、デジタル化された音声信号が同一の順次のフレーム中他のＸＣＣＨスロットの同一のチャネルで伝送される場合にも特に適用させることができる。ＸＣＣＨスロット（図２）のオーバーヘッドＯＨを用いてこの２次ステーションに向けられた情報を含む次のＸＣＣＨスロットを見いだすべき特定の２次ステーションに対する識別を行うことができる。変更例として、伝送終了（ＥＯＴ）信号を受けるまで２次ステーションは受信を行うことができる。
【００１９】情報伝送システムは情報を伝送し得る種々の周波数で多数の異なるチャネルを具えることができ、この際、意図され、且つ、異なるチャネルで伝送すべき次の情報に２次ステーションを変更するのが有利である。この場合には、図３にＥ２で示すようにチャネル識別ＣＨをも１８ビット表示に含めることができる。図示のシステムでは、４つのチャネルが存在し、従って、チャネル識別ＣＨは２ビット長くなる。表示の全長を１８ビットに抑制するためには、この場合アドレスを１４ビットの長さとする。ＯＰ符号およびチャネル符号化は識別表示の構造を用いる限り同様に配列することができる。システムのチャネルを同期化しない場合には、情報が受信される前にチャネルが変化した際に新たなチャネルへの同期化を行う必要のある２次ステーションにチャネル識別を伝送し得るようにすることができる。」
　　
〈１次ステーション〉
「【００２２】図４は本発明による１次ステーションに用いる伝送配置を示すブロック図を示す。情報入力端子２２を記憶装置（ＲＡＭ）２４の入力端子に接続する。ＲＡＭ２４をそれ自体クロック発振器２８により駆動されるアドレス指定装置（ＡＤＤＲ）２６によってアドレス指定する。記憶装置２４からの出力をスイッチ３４の第１入力端子および宛先識別子（ＤＳＴ）３０の第１入力端子に結合する。宛先識別子（ＤＳＴ）３０はその出力端子を任意のリードオンリーメモリ（ＲＯＭ）またはルックアップテーブル３２をアドレス指定し得るように結合し、そのデータ出力端子をスイッチ３４の第２入力端子に結合する。また、計数器（ＣＮＴ）３８を設けて情報伝送における制御スロットおよびトラフィックタイム周期間の比に相当するマーク−スペース比を有する方形波を発生させるようにする。計数器３８からの出力を宛先識別子３０の第２入力端子に結合するとともにスイッチ３４の制御入力端子に結合する。スイッチ３４はその出力端子が制御入力端子の状態に依存して第１入力端子および第２入力端子のいずれかに内部的に接続されるように構成する。このスイッチ３４の出力端子を送信機３６に結合し、次いでアンテナ４０に結合する。
【００２３】作動に当たり、情報およびその所望の宛先をＲＡＭ２４に含め、このＲＡＭを入力端子２２を経て更新し得るようにする。情報およびその所望の宛先はマイクロプロセッサを具えるアドレス指定装置２６によって適当な速度で読出すようにする。本例ではＲＡＭ２４もＭＣＣＨスロットおよびＸＣＣＨスロットに含まれる個別のオーバーヘッドを含むようにする。このオーバーヘッドは所望に応じ他の段の幾つかで伝送すべき信号に含めることができる。宛先識別子３０はＲＡＭ２４からの出力を受けるように結合するとともに宛先識別子３０の作動はＣＮＴ３８によって作動し得るように制御する。ＣＮＴ３８によってＭＣＣＨスロット中第１状態（高レベル）にあり、４つのＸＣＣＨスロット中第２状態（低レベル）にある信号を発生させる。計数器からの信号が第１状態にある場合にはＤＳＴ３０が作動状態となり、ＲＡＭ２４の出力を４つの識別子信号まで探索し得るようにする。チャネル変更情報も探索することができる。次いで、ＤＳＴ３０によって図３につき説明するようにアドレスおよびチャネル情報を正しい順序に配列するとともにＲＯＭ３２をアドレス指定する信号を通過せしめるようにする。このＲＯＭ３２は任意であり、制御信号をさらに符号化する必要がある場合にはこのＲＯＭを含めることができ、これによってＲＯＭ内のアドレスをその個別のアドレス値の符号化バージョンを含むように配列する。ＣＮＴ３８の出力も第１状態にある場合には、ＲＯＭ３２のスイッチ３４を経て送信機（Ｔｘ）３６に結合し、これにより例えば位相推移キーイングによって制御情報を既知のように伝送する。」
　　
〈２次ステーション〉
「【００２５】図５は本発明第２ステーションの受信装置の構成を示すブロック図である。本例ではアンテナ４２を正の給電線Ｐおよび負の給電線Ｎを有する受信機（Ｒｘ）の入力側に結合する。受信機の出力端子を識別手段（ＩＤ）４６と、スイッチ（ＳＷＴ）５２の第１入力端子と、伝送終了検出器（ＥＯＴ）４８の入力端子とにそれぞれ結合する。ＩＤ４６はその出力端子が、２次ステーションに対するアドレス（または２次ステーションを部材とする群に対するアドレス）が受信機の出力側で検出される際に第１状態となり、その他の場合に第２状態となる。ＩＤ４６からの出力はＩＤ４６からの入力に応答して第１状態となり、第２入力端子におけるＥＯＴ４８からのリセット信号に応答して第２状態となるサンプル−ホールド装置（ＨＬＤ）５０に結合する。第２入力端子はＥＯＴ４８の出力端子に結合する。サンプル−ホールド装置（ＨＬＤ）５０の出力端子をスイッチ（ＳＷＴ）５２の制御入力端子に結合するとともにＯＲゲート５６の第１入力端子に結合する。スイッチ５２の出力端子を情報出力装置（Ｏ／Ｐ）、例えば表示装置、プリンタおよび／または記憶手段に結合する。ＯＲゲート５６への第２入力端子は計数器（ＣＮＴ）６０の出力側に結合し、これにより図４に示すＣＮＴ３８の出力信号と同一の出力信号を発生し得るようにする。ＣＮＴ６０は電源６２、例えばバッテリに直接接続する。電源６２の正端子もスイッチ（ＳＷＴ）５８の入力端子に接続する。スイッチ５８への制御入力端子はＯＲゲート５６の出力側に結合する。スイッチ５８からの出力はＲｘ４４の正の給電ラインＰに結合する。スイッチ５８はその制御入力端子の能動信号に応答してその入力端子を出力端子に接続する。電源負端子はＲｘ４４の負の給電ラインＮに直接接続する。（ＯＲゲート５６およびスイッチ５８を除く）残りの回路は電源６２に、または所望に応じスイッチされた電源ラインＰ，Ｎに直接接続することができる。
【００２６】作動に当たり、ＣＮＴ６０はＯＲゲート５６、スイッチ５８、従ってＲｘ４４を作動させて送信機３６（図４）によりＭＣＣＨ中に伝送された制御情報を周期的に受信する。受信機の出力は特定の２次ステーションに関連するアドレスに対しＩＤ４６により探索する。アドレスを検出すると、ＩＤ４６の出力は第１状態となり、ＨＬＤ５０がラッチされてこの第１状態の信号をＳＷＴ５２およびＯＲゲート５６に供給する。これがため、ＨＬＤ５０の出力信号はＯＲゲート５６を経てスイッチ５８の導通を保持するとともにＲｘ４４は能動状態のままである。特定の２次ステーションに向けられたＸＣＣＨスロットの情報はスイッチ５２を経てＯ／Ｐ５４に結合する。情報がすべて受信されると、ＥＴＯ４８はこの２次ステーションに対する伝送が終わり、ＨＬＤ５０にリセット信号を供給することを検出する。これがため、ＯＲゲート５６はもはやＨＬＤ５０からの信号によって作動せず、ＣＮＴ６０によってのみ作動するようになる。
【００２７】かようにして、２次ステーションは“リスニング”モードの際のみ、短い時間周期に亘りその受信機を作動状態とすることができる。２次ステーションに向けられた情報が１次ステーションにより伝送される場合には識別表示信号およびＩＤ４６によってアドバンス警報を受け、且つＨＬＤ５０によって受信機４４を作動させ、次のＸＣＣＨトラフィックスロット中情報を受信し得るようにする。この受信機は情報のすべてが受信された場合、または受信した信号が伝送中に符号化し得なくなる際タイムアウトすることによって電源を遮断する。ＣＮＴ６０とは別に、受信機を作動させる場合回路の残部は作動させる必要があり、これはバッテリの電力をさらに保護することができる。正しく作動させるために、ＣＮＴ６０およびＣＮＴ３８（図４）は（信号の伝搬遅延を行うために）同期化する必要があり、これを既知のように多数の同期化技術により達成することができる。
【００２８】さらに、ＩＤ４６は、スイッチ５８の作動を遅延するとともに関連する情報が存在する特定のＸＣＣＨスロットを受信する必要があるまでＲｘ４４の電力増大を遅延する手段を設けることができる。この情報は制御スロットにおける命令信号アドレスの位置によって、または図３につき前述したように明快な記法によって得ることができる。表示信号のトラフィックスロット識別子ＸＮ（図３）は次のＭＣＣＨスロット後に発生するトラフィックスロットを識別することができる。混雑時間では例えば２次ステーションはこれらに向けられた伝送によって良好に警報することができ、従って次の制御スロットのスペースを他のメッセージに対し保持することができる。また、メッセージを多数の２次ステーションに同時に送出する必要がある場合にも多くの２次ステーションを群として配列する必要はなく、また１つのＭＣＣＨスロットで可能となる場合よりも多くの２次ステーションの群を注意する必要があり、従って特定のスロットを用いることができる。」
　　
「
」
　　
第３　対比
１　引用文献に記載された発明
　引用文献１には、「情報伝送システム、特に１次ステーションおよび多数の２次ステーションを具える多重ユーザラジオシステムに関するもの」、「１次ステーションおよび２次ステーション、および多重ユーザシステムに情報を伝送する方法に関するもの」（段落【０００１】、【０００２】）が記載され、
「１次ステーションおよび多数の２次ステーションを具える情報伝送システム、例えば、ラジオシステムは１次ステーションと、システムが作動する全ての時間に対する全ての２次ステーションとの間で情報の搬送を必要としない場合がしばしばあ」り、「個別の２次ステーションは時間の僅かな部分に対し情報を送出または受信するのみである」、「かかる状態では、２次ステーションが１次ステーションの伝送に払う注意の量を減少して例えば携帯用ラジオ受信機が電力消費を低減し、従って、バッテリの寿命を延ばすようにする必要があることは普通であ」って（段落【０００３】、【０００４】、
「新規な情報の伝送システムおよび方法を提供せんとする」（段落【０００５】）ことを目的とするものである。
　　
　引用文献１には、「１次ステーション１０および４つの２次ステーション１２，１４，１６，１８を具えるラジオシステム」であって、「１次ステーション１０によって伝送されたラジオ信号は多数の経路２０を経て２次ステーションに伝搬され」（段落【００１３】）ることが記載されている。
　　
　引用文献１には、「チャネル構造」が記載され、
　「チャネル構造」である「１つのマルチフレームＭＦは」「１６個のフレームＦを具え」、「個別のフレームＦは２６４０ビットを具えるとともに、２４０ビットの最小制御チャネル（ＭＣＣＨ）スロットと各々が６００ビットの４つの情報チャネル（ＸＣＣＨ）の群とに分割」し、「ＭＣＣＨスロットＭは１２０ビットのオーバーヘッドＯＨと、１２０ビットの制御データＣＤとを具え」、「ＸＣＣＨスロットはそれぞれ音声チャネル、データチャネルまたは１つ以上の拡張制御チャネルとして用いることができ」（段落【００１４】）、
「制御データスロット」（ＣＤ）「は１２０ビットの長さであり、」「最初の８ビットＯＰは制御スロットに含まれるメッセージの機能を規定する演算符号であ」り、「次の１８ビットは識別表示ＣＭＤ１を具え、これは、順次の情報がそのために決められたことを示す第１の２次ステーションのアドレスを含み、これら１８個のビームは“ウエイク−アップ”命令と称され」、「続く５４個のビットも各々が１８ビットより成る３つの他のウエイク−アップ命令ＣＭＤ２，ＣＭＤ３およびＣＭＤ４を具え、これら命令の各々は関連する２次ステーションを識別するアドレスを含」み（段落【００１６】）、
「制御データスロットの最後の４０ビットは既知のようにエラー検出および便利な補正を行うチャネル符号化部ＣＣを含」む（段落【００１７】）ものである。
　　
　段落【００１８】において、「識別表示ＣＭＤ１・・・ＣＭＤ４」は「次の情報を決める２次ステーションを識別する１６ビットアドレスを具え、これに２ビットスロット番号ＸＮが後続」し、「このスロット番号によって次の４つのＸＣＣＨスロット・・・にいずれがアドレスにより識別された特定の２次ステーションに意図される情報を含んでいるかを識別する」ことが記載され、段落【００１９】において、「情報伝送システムは情報を伝送し得る種々の周波数で多数の異なるチャネルを具えることができ、この際、意図され、且つ、異なるチャネルで伝送すべき次の情報に２次ステーションを変更するのが有利である。この場合には、図３にＥ２で示すようにチャネル識別ＣＨをも１８ビット表示に含めることができる。図示のシステムでは、４つのチャネルが存在し、従って、チャネル識別ＣＨは２ビット長くなる。表示の全長を１８ビットに抑制するためには、この場合アドレスを１４ビットの長さとする。」と記載され、図３のＥ２には、識別表示ＣＭＤ３として、Ａ（アドレス）、ＣＨ（チャネル識別）、ＸＮ（スロット番号）が示されているから、「識別表示ＣＭＤ１・・・ＣＭＤ４」は「２次ステーションを識別する１４ビットアドレスを具え、これに２ビットチャネル識別ＣＨ、２ビットスロット番号ＸＮが後続」し、このチャネル識別、スロット番号によってＸＣＣＨスロットにいずれかが、アドレスにより識別された特定の２次ステーションに意図される情報を含んでいるかを識別する」ものである。
　　
　したがって、引用文献１には、「情報伝送システムは情報を伝送し得る種々の周波数で多数の異なるチャネルを具える」（段落【００１９】）場合の「チャネル構造」として、
「情報伝送システムは情報を伝送し得る種々の周波数で多数の異なるチャネルを具え、チャネル構造である１つのマルチフレームＭＦは１６個のフレームＦを具え、個別のフレームＦは２６４０ビットを具えるとともに、２４０ビットの最小制御チャネル（ＭＣＣＨ）スロットと各々が６００ビットの４つの情報チャネル（ＸＣＣＨ）の群とに分割し、ＭＣＣＨスロットＭは１２０ビットのオーバーヘッドＯＨと、１２０ビットの制御データＣＤとを具え、ＸＣＣＨスロットはそれぞれ音声チャネル、データチャネルまたは１つ以上の拡張制御チャネルとして用いることができ、
　制御データスロット（ＣＤ）は１２０ビットの長さであり、最初の８ビットＯＰは制御スロットに含まれるメッセージの機能を規定する演算符号であり、次の１８ビットは識別表示ＣＭＤ１を具え、これは、順次の情報がそのために決められたことを示す第１の２次ステーションのアドレスを含み、これら１８個のビームは“ウエイク−アップ”命令と称され、続く５４個のビットも各々が１８ビットより成る３つの他のウエイク−アップ命令ＣＭＤ２，ＣＭＤ３およびＣＭＤ４を具え、これら命令の各々は関連する２次ステーションを識別するアドレスを含み、
　制御データスロットの最後の４０ビットは既知のようにエラー検出および便利な補正を行うチャネル符号化部ＣＣを含み、
　識別表示ＣＭＤ１・・・ＣＭＤ４は２次ステーションを識別する１４ビットアドレスを具え、これに２ビットチャネル識別ＣＨ、２ビットスロット番号ＸＮが後続し、このチャネル識別、スロット番号によってＸＣＣＨスロットにいずれかが、アドレスにより識別された特定の２次ステーションに意図される情報を含んでいるかを識別するものである」ことが記載されている。
　　
　引用文献１には、「第２ステーションの受信装置」が記載され、
「第２ステーションの受信装置」は、「アンテナ４２を正の給電線Ｐおよび負の給電線Ｎを有する受信機（Ｒｘ）の入力側に結合」し、「受信機の出力端子を識別手段（ＩＤ）４６と、スイッチ（ＳＷＴ）５２の第１入力端子と、伝送終了検出器（ＥＯＴ）４８の入力端子とにそれぞれ結合」し、「ＩＤ４６はその出力端子が、２次ステーションに対するアドレス・・・が受信機の出力側で検出される際に第１状態となり、その他の場合に第２状態とな」り、「ＩＤ４６からの出力はＩＤ４６からの入力に応答して第１状態となり、第２入力端子におけるＥＯＴ４８からのリセット信号に応答して第２状態となるサンプル−ホールド装置（ＨＬＤ）５０に結合」し、「第２入力端子はＥＯＴ４８の出力端子に結合」し、「サンプル−ホールド装置（ＨＬＤ）５０の出力端子をスイッチ（ＳＷＴ）５２の制御入力端子に結合するとともにＯＲゲート５６の第１入力端子に結合」し、「スイッチ５２の出力端子を情報出力装置（Ｏ／Ｐ）、例えば表示装置、プリンタおよび／または記憶手段に結合」し、「ＯＲゲート５６への第２入力端子は計数器（ＣＮＴ）６０の出力側に結合し、これにより」、（１次ステーションの）「ＣＮＴ３８の出力信号と同一の出力信号を発生し得るように」し、「ＣＮＴ６０は電源６２・・・に直接接続」し、「電源６２の正端子もスイッチ（ＳＷＴ）５８の入力端子に接続」し、「スイッチ５８への制御入力端子はＯＲゲート５６の出力側に結合」し、「スイッチ５８からの出力はＲｘ４４の正の給電ラインＰに結合」し、「スイッチ５８はその制御入力端子の能動信号に応答してその入力端子を出力端子に接続する。電源負端子はＲｘ４４の負の給電ラインＮに直接接続する」（段落【００２５】）ものであり、「第２ステーションの受信装置」は、アンテナを有している。
　　
　「第２ステーションの受信装置」における情報を受信する動作は、次のように記載されている。
「ＣＮＴ６０はＯＲゲート５６、スイッチ５８、従ってＲｘ４４を作動させて・・・ＭＣＣＨ中に伝送された制御情報を周期的に受信」し、「受信機の出力は特定の２次ステーションに関連するアドレスに対しＩＤ４６により探索」し、「アドレスを検出すると、ＩＤ４６の出力は第１状態となり、ＨＬＤ５０がラッチされてこの第１状態の信号をＳＷＴ５２およびＯＲゲート５６に供給」し、「これがため、ＨＬＤ５０の出力信号はＯＲゲート５６を経てスイッチ５８の導通を保持するとともにＲｘ４４は能動状態のままであ」り、「特定の２次ステーションに向けられたＸＣＣＨスロットの情報はスイッチ５２を経てＯ／Ｐ５４に結合」し、「情報がすべて受信されると、ＥＴＯ４８はこの２次ステーションに対する伝送が終わり、ＨＬＤ５０にリセット信号を供給することを検出」し、「これがため、ＯＲゲート５６はもはやＨＬＤ５０からの信号によって作動せず、ＣＮＴ６０によってのみ作動するようにな」り（段落【００２６】）、
「かようにして、２次ステーションは“リスニング”モードの際のみ、短い時間周期に亘りその受信機を作動状態とすることができ」（段落【００２７】）、
「さらに、ＩＤ４６は、スイッチ５８の作動を遅延するとともに関連する情報が存在する特定のＸＣＣＨスロットを受信する必要があるまでＲｘ４４の電力増大を遅延する手段を設けることができ」、「表示信号のトラフィックスロット識別子ＸＮ・・・は次のＭＣＣＨスロット後に発生するトラフィックスロットを識別することができる。」（段落【００２８】）
　　
　これらの記載から、「第２ステーションの受信装置」における情報を受信する動作は、「ＭＣＣＨ中に伝送された制御情報を周期的に受信」し、「受信機の出力は特定の２次ステーションに関連するアドレスに対しＩＤ４６により探索」し、「アドレスを検出すると、」「ＩＤ４６は、スロット識別子ＸＮにより識別される関連する情報が存在する特定のＸＣＣＨスロットを受信する必要があるまでＲｘ４４の電力増大を遅延」し、「情報」を「受信」するものである。
　　
「ＸＣＣＨスロットはそれぞれ音声チャネル、データチャネルまたは１つ以上の拡張制御チャネルとして用いることができる」（段落【００１４】）ものであり、段落【００２８】、【００２９】には、メッセージに関する記載があることから、ＸＣＣＨスロットはデータチャネルであり、データをメッセージとすることが記載されていると認められる。
　　
　「情報伝送システムは情報を伝送し得る種々の周波数で多数の異なるチャネルを具える」（段落【００１９】）場合は、「識別表示ＣＭＤ１・・・ＣＭＤ４は２次ステーションを識別する１４ビットアドレスを具え、これに２ビットチャネル識別ＣＨ、２ビットスロット番号ＸＮが後続し、このチャネル識別、スロット番号によってＸＣＣＨスロットにいずれかが、アドレスにより識別された特定の２次ステーションに意図される情報を含んでいるかを識別するものであ」り、
　「第２ステーションの受信装置」における情報を受信する動作は、「ＭＣＣＨ中に伝送された制御情報を周期的に受信」し、「受信機の出力は特定の２次ステーションに関連するアドレスに対しＩＤ４６により探索」し、「アドレスを検出すると、」「ＩＤ４６は、チャネル識別ＣＨ、スロット識別子ＸＮにより識別される関連する情報が存在する特定のＸＣＣＨスロットを受信する必要があるまでＲｘ４４の電力増大を遅延」し、「情報」を「受信」するものである。
　　
　以上より、引用文献１には、「第２ステーションの受信装置」における情報を受信する動作が記載され、その動作を方法の発明と認定することができる。
　したがって、引用文献１には、次の発明（以下「引用発明」という。）が記載されていると認められる。
　　
「１次ステーション１０および４つの２次ステーション１２，１４，１６，１８を具えるラジオシステムであって、１次ステーション１０によって伝送されたラジオ信号は多数の経路２０を経て２次ステーションに伝搬され、
　情報伝送システムは情報を伝送し得る種々の周波数で多数の異なるチャネルを具え、チャネル構造である１つのマルチフレームＭＦは１６個のフレームＦを具え、個別のフレームＦは２６４０ビットを具えるとともに、２４０ビットの最小制御チャネル（ＭＣＣＨ）スロットと各々が６００ビットの４つの情報チャネル（ＸＣＣＨ）の群とに分割し、ＭＣＣＨスロットＭは１２０ビットのオーバーヘッドＯＨと、１２０ビットの制御データＣＤとを具え、ＸＣＣＨスロットはそれぞれ音声チャネル、データチャネルまたは１つ以上の拡張制御チャネルとして用いることができ、
　制御データスロット（ＣＤ）は１２０ビットの長さであり、最初の８ビットＯＰは制御スロットに含まれるメッセージの機能を規定する演算符号であり、次の１８ビットは識別表示ＣＭＤ１を具え、これは、順次の情報がそのために決められたことを示す第１の２次ステーションのアドレスを含み、これら１８個のビームは“ウエイク−アップ”命令と称され、続く５４個のビットも各々が１８ビットより成る３つの他のウエイク−アップ命令ＣＭＤ２，ＣＭＤ３およびＣＭＤ４を具え、これら命令の各々は関連する２次ステーションを識別するアドレスを含み、
　制御データスロットの最後の４０ビットは既知のようにエラー検出および便利な補正を行うチャネル符号化部ＣＣを含み、
　識別表示ＣＭＤ１・・・ＣＭＤ４は２次ステーションを識別する１４ビットアドレスを具え、これに２ビットチャネル識別ＣＨ、２ビットスロット番号ＸＮが後続し、このチャネル識別、スロット番号によってＸＣＣＨスロットにいずれかが、アドレスにより識別された特定の２次ステーションに意図される情報を含んでいるかを識別するものにおいて、
　アンテナを有する２次ステーションの受信装置における情報を受信する方法であって、
　ＭＣＣＨ中に伝送された制御情報を周期的に受信し、
　受信機の出力は特定の２次ステーションに関連するアドレスに対し識別手段（ＩＤ）４６により探索し、アドレスを検出すると、ＩＤ４６は、チャネル識別ＣＨ、スロット識別子ＸＮにより識別される関連する情報が存在する特定のＸＣＣＨスロットを受信する必要があるまで受信機（Ｒｘ４４）の電力増大を遅延し、情報を受信し、
　ＸＣＣＨスロットはデータチャネルであり、データをメッセージとする
　方法。」
　　
２　対比
　本願発明と引用発明とを対比する。
　　
（１）「無線デバイスで使用するための方法」
　　
　引用発明は、「アンテナを有する２次ステーションの受信装置における情報を受信する方法」であり、「アンテナを有する２次ステーションの受信装置」は「無線デバイス」といえ、「情報を受信する」ことは、「アンテナを有する２次ステーションの受信装置」で行われているから、「アンテナを有する２次ステーションの受信装置における情報を受信する方法」は、「無線デバイスで使用するための方法」といえる。
　　
（２）「無線インターフェースを介して、メッセージリストを受信することであって、前記メッセージリストは、複数の宛先識別子および複数のメッセージポインタを含み、
　　　各メッセージポインタは、前記複数の宛先識別子からの宛先識別子と関連づけられ、
　　　各メッセージポインタは、それぞれの異なるメッセージについて、
　　　　　前記メッセージがいつ受信可能になるかを示すタイミング情報と、
　　　　　前記メッセージの搬送波チャネル情報と、
　　　　　前記メッセージの符号情報と
　　　を示している、前記メッセージリストを受信すること」
　　
ア　「無線インターフェースを介して、メッセージリストを受信することであって、前記メッセージリストは、複数の宛先識別子および複数のメッセージポインタを含み」
　　
　引用発明においては、「最小制御チャネル（ＭＣＣＨ）スロット」「Ｍは」、「オーバーヘッドＯＨと、」「制御データＣＤとを具え、」
　「制御データスロット（ＣＤ）は」、「演算符号」「ＯＰ」と「識別表示ＣＭＤ１」〜「ＣＭＤ４を具え、」
　「識別表示ＣＭＤ１・・・ＣＭＤ４は２次ステーションを識別するアドレスを具え、これに」「チャネル識別ＣＨ、」「スロット番号ＸＮが後続し、このチャネル識別、スロット番号によってＸＣＣＨスロットにいずれかが、アドレスにより識別された特定の２次ステーションに意図される情報を含んでいるかを識別するもの」であり、
　「ＸＣＣＨスロットはデータチャネルであり、データをメッセージとする」ものである。
　　
　「ＸＣＣＨスロットはデータチャネルであり、データをメッセージとする」ものであり、「チャネル識別、スロット番号によってＸＣＣＨスロットにいずれかが、アドレスにより識別された特定の２次ステーションに意図される情報を含んでいるかを識別するもの」であるから、「チャネル識別、スロット番号」は、どのＸＣＣＨスロットに、アドレスにより識別された特定の２次ステーションに意図される情報を含んでいるかを指し示しているものであり、「ポインタ」といえ、ＸＣＣＨスロットのデータはメッセージであるから、「チャネル識別、スロット番号」は、「メッセージポインタ」といえる。
　「識別表示ＣＭＤ１・・・ＣＭＤ４は２次ステーションを識別するアドレスを具え、これに」「チャネル識別ＣＨ、」「スロット番号ＸＮが後続」するものであり、識別表示ＣＭＤ１〜ＣＭＤ４は、図３に示されるように、順番に並んでおり、「リスト」といえ、アドレスは「宛先識別子」といえ、「リスト」には複数の宛先識別子および複数のメッセージポインタを含んでいるといえる。
　そして、この「リスト」は、「メッセージポインタ」を含んでいるから、「メッセージリスト」といえる。
　　
　引用発明は、「ＭＣＣＨ中に伝送された制御情報を周期的に受信」する。「制御情報」は、「制御データＣＤ」のことであり、「制御データＣＤ」は「識別表示ＣＭＤ１〜ＣＭＤ４」を含んでおり、上記のとおり「識別表示ＣＭＤ１〜ＣＭＤ４」は、「メッセージリスト」といえるから、引用発明は、「メッセージリスト」を受信するものである。
　また、引用発明において、「ＭＣＣＨ中に伝送された制御情報を周期的に受信」するものは、「アンテナを有する２次ステーションの受信装置」であって、「アンテナを有する２次ステーションの受信装置」は、「無線インターフェースを介して」「ＭＣＣＨ中に伝送された制御情報を周期的に受信」するといえる。
　以上より、引用発明は、「無線インターフェースを介して、メッセージリストを受信することであって、前記メッセージリストは、複数の宛先識別子および複数のメッセージポインタを含（み）」むといえる。
　　
イ　「各メッセージポインタは、前記複数の宛先識別子からの宛先識別子と関連づけられ、
　　　各メッセージポインタは、それぞれの異なるメッセージについて、
　　　　　前記メッセージがいつ受信可能になるかを示すタイミング情報と、
　　　　　前記メッセージの搬送波チャネル情報と、
　　　　　前記メッセージの符号情報と
　　　を示している、前記メッセージリストを受信すること」
　　
　「識別表示ＣＭＤ１・・・ＣＭＤ４は２次ステーションを識別するアドレスを具え、これに」「チャネル識別ＣＨ、」「スロット番号ＸＮが後続」するものであり、上記アのとおり、「チャネル識別、スロット番号」は「メッセージポインタ」といえ、「メッセージポインタ」といえる「チャネル識別、スロット番号」は、各識別表示（ＣＭＤ１・・・ＣＭＤ４）において、２次ステーションを識別するアドレス、すなわち、宛先識別子と関連づけられている。この「宛先識別子」は、上記アのとおり、引用発明が「無線インターフェースを介して、メッセージリストを受信することであって、前記メッセージリストは、複数の宛先識別子および複数のメッセージポインタを含（み）」むといえるから、「前記複数の宛先識別子からの宛先識別子」といえる。また、「メッセージポインタ」といえる「チャネル識別、スロット番号」は、各識別表示（ＣＭＤ１・・・ＣＭＤ４）に存在するから、引用発明においては、「各メッセージポインタは、前記複数の宛先識別子からの宛先識別子と関連づけられ」ているといえる。
　「メッセージポインタ」といえる「チャネル識別、スロット番号」のうち、「チャネル識別」は、引用発明が「情報伝送システムは情報を伝送し得る種々の周波数で多数の異なるチャネルを具え」ているものであるから、「前記メッセージの搬送波チャネル情報」といえる。
　「メッセージポインタ」といえる「チャネル識別、スロット番号」のうち、「スロット番号」は、番号によりスロットの位置を示すものであるから、「前記メッセージがいつ受信可能になるかを示すタイミング情報」といえる。
　そして、「メッセージポインタ」といえる「チャネル識別、スロット番号」によって、「ＸＣＣＨスロットにいずれかが、アドレスにより識別された特定の２次ステーションに意図される情報を含んでいるかを識別するもの」であり、「ＸＣＣＨスロットはデータチャネルであり、データをメッセージとする」から、「メッセージポインタは、」「メッセージについて、」「前記メッセージがいつ受信可能になるかを示すタイミング情報と、」「前記メッセージの搬送波チャネル情報と、」「を示している」といえる。また、「メッセージポインタ」といえる「チャネル識別、スロット番号」は、各識別表示（ＣＭＤ１・・・ＣＭＤ４）に存在し、各「メッセージポインタ」は、それぞれの「メッセージ」についてのものであり、それぞれの「メッセージ」は、アドレス（宛先識別子）と関連づけられているから、それぞれの「異なるメッセージ」といえる。
　したがって、引用発明においては、「各メッセージポインタは、それぞれの異なるメッセージについて、前記メッセージがいつ受信可能になるかを示すタイミング情報と、前記メッセージの搬送波チャネル情報と、前記メッセージの符号情報とを示している」といえる。しかしながら、「各メッセージポインタ」は、「前記メッセージの符号情報」を示しておらず、本願発明と相違する。
　上記アのとおり、引用発明は、「メッセージリストを受信する」から、「前記メッセージリストを受信すること」といえる。
　以上から、引用発明は、「各メッセージポインタは、前記複数の宛先識別子からの宛先識別子と関連づけられ、各メッセージポインタは、それぞれの異なるメッセージについて、前記メッセージがいつ受信可能になるかを示すタイミング情報と、前記メッセージの搬送波チャネル情報と、前記メッセージの符号情報とを示している、前記メッセージリストを受信すること」において、本願発明と一致し、「各メッセージポインタ」が、本願発明においては、「前記メッセージがいつ受信可能になるかを示すタイミング情報と、前記メッセージの搬送波チャネル情報と、前記メッセージの符号情報とを示している」のに対し、引用発明においては、「前記メッセージがいつ受信可能になるかを示すタイミング情報と、前記メッセージの搬送波チャネル情報とを示している」点で相違する。
　　
ウ　まとめ
　以上のとおり、引用発明は、
「無線インターフェースを介して、メッセージリストを受信することであって、前記メッセージリストは、複数の宛先識別子および複数のメッセージポインタを含み、
　　　各メッセージポインタは、前記複数の宛先識別子からの宛先識別子と関連づけられ、
　　　各メッセージポインタは、それぞれの異なるメッセージについて、
　　　　　前記メッセージがいつ受信可能になるかを示すタイミング情報と、
　　　　　前記メッセージの搬送波チャネル情報と、
　　　を示している、前記メッセージリストを受信すること」
において、本願発明と一致し、
　「各メッセージポインタ」が、本願発明においては、「前記メッセージがいつ受信可能になるかを示すタイミング情報と、前記メッセージの搬送波チャネル情報と、前記メッセージの符号情報とを示している」のに対し、引用発明においては、「前記メッセージがいつ受信可能になるかを示すタイミング情報と、前記メッセージの搬送波チャネル情報とを示している」点で相違する
　　
（３）「前記宛先識別子の一つが前記無線デバイスに対応するという決定に応答して、前記無線デバイスに対応する前記宛先識別子と関連づけられた前記メッセージポインタにより指し示されるメッセージを受信すること」
　　
　引用発明は、「受信機の出力は特定の２次ステーションに関連するアドレスに対し識別手段（ＩＤ）４６により探索し、アドレスを検出すると、ＩＤ４６は、チャネル識別ＣＨ、スロット識別子ＸＮにより識別される関連する情報が存在する特定のＸＣＣＨスロットを受信する必要があるまで受信機（Ｒｘ４４）の電力増大を遅延し、情報を受信し、ＸＣＣＨスロットはデータチャネルであり、データをメッセージとする」ものである。
　「受信機の出力は特定の２次ステーションに関連するアドレスに対し識別手段（ＩＤ）４６により探索し、アドレスを検出すると、」は、「アドレス」が「宛先識別子」といえ、「２次ステーション」が「無線デバイス」といえるから、「前記宛先識別子の一つが前記無線デバイスに対応するという決定に応答して、」といえる。
　「ＩＤ４６は、チャネル識別ＣＨ、スロット識別子ＸＮにより識別される関連する情報が存在する特定のＸＣＣＨスロットを受信する必要があるまで受信機（Ｒｘ４４）の電力増大を遅延し、情報を受信し、ＸＣＣＨスロットはデータチャネルであり、データをメッセージとする」は、「情報」が「メッセージ」であり、「チャネル識別ＣＨ、スロット識別子ＸＮ」は、「メッセージポインタ」といえ、上記（２）イのとおり、「メッセージポインタ」は、「宛先識別子」と関連づけられており、「２次ステーション」が「無線デバイス」といえるから、「前記無線デバイスに対応する前記宛先識別子と関連づけられた前記メッセージポインタにより指し示されるメッセージを受信すること」といえる。
　したがって、引用発明は、「前記宛先識別子の一つが前記無線デバイスに対応するという決定に応答して、前記無線デバイスに対応する前記宛先識別子と関連づけられた前記メッセージポインタにより指し示されるメッセージを受信すること」といえ、本願発明と一致する。
　　
（４）「含むことを特徴とする方法」
　上記（１）のとおり、引用発明は、「無線デバイスで使用するための方法」といえ、上記（２）、（３）のとおり、引用発明は、「・・・メッセージリストを受信すること」、「メッセージを受信すること」を含むから、「含むことを特徴とする方法」といえる。
　　
３　一致点、相違点
　以上より、本願発明と引用発明との一致点、相違点は、次のとおりである。
　　
（一致点）
「無線デバイスで使用するための方法であって、
　無線インターフェースを介して、メッセージリストを受信することであって、前記メッセージリストは、複数の宛先識別子および複数のメッセージポインタを含み、
　　　各メッセージポインタは、前記複数の宛先識別子からの宛先識別子と関連づけられ、
　　　各メッセージポインタは、それぞれの異なるメッセージについて、
　　　　　前記メッセージがいつ受信可能になるかを示すタイミング情報と、
　　　　　前記メッセージの搬送波チャネル情報と、
　　　を示している、前記メッセージリストを受信すること、および
　前記宛先識別子の一つが前記無線デバイスに対応するという決定に応答して、前記無線デバイスに対応する前記宛先識別子と関連づけられた前記メッセージポインタにより指し示されるメッセージを受信すること
　を含むことを特徴とする方法。」
　　
（相違点）
　「各メッセージポインタ」が、
　本願発明においては、
「前記メッセージがいつ受信可能になるかを示すタイミング情報と、前記メッセージの搬送波チャネル情報と、前記メッセージの符号情報と」を示しているのに対し、
　引用発明においては、
「前記メッセージがいつ受信可能になるかを示すタイミング情報と、前記メッセージの搬送波チャネル情報と」を示している点。
　　
第４　判断
　通信伝送として、符号分割多重方式、周波数分割多重方式、時分割多重方式は周知の技術であり、これらの組み合わせも周知の技術である（特開昭６３−３５０２６号公報参照。）。
　引用発明は、通信伝送されたものを受信するものであって、引用発明に、通信伝送として、周知の技術である、符号分割多重方式、周波数分割多重方式、時分割多重方式を組み合わせたものを適用することは、当業者が容易に着想するものである。
　そして、引用発明に、符号分割多重方式、周波数分割多重方式、時分割多重方式を組み合わせたものを適用した場合、チャネルが、スロット番号（いつ受信可能になるかを示すタイミング情報）、周波数（搬送波チャネル情報）、符号情報により識別されることになる。
　したがって、引用発明に周知技術を適用して、引用発明において、各メッセージポインタが、「前記メッセージがいつ受信可能になるかを示すタイミング情報と、前記メッセージの搬送波チャネル情報と、前記メッセージの符号情報と」を示すようにすることは、当業者が容易になし得たことである。　　
　　
　そして、本願発明が奏する効果は、その容易想到である構成から当業者が容易に予測し得る範囲内のものであり、同範囲を超える顕著なものでもない。
　　
第５　むすび
　以上のとおり、本願の請求項８に係る発明は、引用文献１に記載された発明及び周知技術に基づいて当業者が容易に発明をすることができたものであるから、特許法２９条２項の規定により特許を受けることができない。 
　　
　したがって、本願は、他の請求項について検討するまでもなく、拒絶すべきものである。　　
　よって、結論のとおり審決する。